(57)【要約】【課題】  リストの視認性を向上することができるリスト管理プログラムおよび電子機器を提供する。【解決手段】  リスト管理プログラムは、複数のアドレス名と、アドレス名同士の順番を示すアドレスナンバーと、アドレス名が所属するグループの識別情報とを含み、少なくとも一部がアドレスナンバー通りに表示部に表示されるリストとしてのアドレス帳を管理するリスト管理手段、および、指示を受け付ける（Ｓ１０３）指示受付手段として、ＭＦＰを機能させ、リスト管理手段は、指示受付手段によって受け付けられた指示に応じてグループを生成し（Ｓ１０４）、リスト管理手段は、グループを生成する場合に、生成するグループ内のアドレス名のアドレスナンバーを連続させ、リスト管理手段は、グループ内のアドレス名のアドレスナンバーの連続性を維持することを特徴とする。【選択図】  図５
2017007273.tif 000002
【特許請求の範囲】
【請求項１】
複数のデータと、
前記データ同士の順番と、
前記データが所属するグループの識別情報とを含み、少なくとも一部が前記順番通りに表示デバイスに表示されるリストを管理するリスト管理手段、および、
指示を受け付ける指示受付手段として、
電子機器を機能させ、
前記リスト管理手段は、前記指示受付手段によって受け付けられた指示に応じて前記グループを生成し、
前記リスト管理手段は、前記グループを生成する場合に、生成する前記グループ内の前記データの前記順番を連続させ、
前記リスト管理手段は、前記グループ内の前記データの前記順番の連続性を維持することを特徴とするリスト管理プログラム。
【請求項２】
前記リスト管理手段は、前記グループを生成する場合に、生成する前記グループ内の前記データを特定の条件でソートして前記順番を設定することを特徴とする請求項１に記載のリスト管理プログラム。
【請求項３】
前記指示受付手段は、前記リスト管理手段によって生成される前記グループ内の前記データの先頭の前記順番の指示を受け付け、
前記リスト管理手段は、前記グループを生成する場合に、生成する前記グループ内の前記データの前記順番を、前記指示受付手段によって受け付けられた指示に応じた前記先頭の順番から設定することを特徴とする請求項１または請求項２に記載のリスト管理プログラム。
【請求項４】
前記指示受付手段は、前記先頭の順番の指示を受け付ける場合に、前記グループ内の前記データの前記順番以外の前記順番のみを、前記先頭の順番として受け付けることを特徴とする請求項３に記載のリスト管理プログラム。
【請求項５】
複数のデータと、
前記データ同士の順番と、
前記データが所属するグループの識別情報とを含み、少なくとも一部が前記順番通りに表示デバイスに表示されるリストを管理するリスト管理手段と、
指示を受け付ける指示受付手段とを備え、
前記リスト管理手段は、前記指示受付手段によって受け付けられた指示に応じて前記グループを生成し、
前記リスト管理手段は、前記グループを生成する場合に、生成する前記グループ内の前記データの前記順番を連続させ、
前記リスト管理手段は、前記グループ内の前記データの前記順番の連続性を維持することを特徴とする電子機器。
【発明の詳細な説明】
【技術分野】
【０００１】
本発明は、複数のデータと、データ同士の順番とを含むリストを管理するリスト管理プログラムおよび電子機器に関する。
【背景技術】
【０００２】
従来、複数のデータとして複数のアドレス名を含むリストとしてのアドレス帳に対して、アドレス名をソートする電子機器が知られている（例えば、特許文献１、２参照。）。
【先行技術文献】
【特許文献】
【０００３】
【特許文献１】特開平１０−１６１９５７号公報
【特許文献２】特開２００４−１５３４２０号公報
【発明の概要】
【発明が解決しようとする課題】
【０００４】
しかしながら、従来の電子機器は、アドレス帳において順番が連続している複数のアドレス名に利用者が着目していた場合に、アドレス帳に新たにアドレス名が追加されたり、アドレス帳内のアドレス名がソートされたりしたとき、アドレス帳において利用者が着目していた複数のアドレス名の順番の連続性が崩れる可能性があるという問題がある。アドレス帳において利用者が着目していた複数のアドレス名の順番の連続性が崩れた場合には、利用者にとってアドレス帳の視認性が低下する。
【０００５】
そこで、本発明は、リストの視認性を向上することができるリスト管理プログラムおよび電子機器を提供することを目的とする。
【課題を解決するための手段】
【０００６】
本発明のリスト管理プログラムは、複数のデータと、前記データ同士の順番と、前記データが所属するグループの識別情報とを含み、少なくとも一部が前記順番通りに表示デバイスに表示されるリストを管理するリスト管理手段、および、指示を受け付ける指示受付手段として、電子機器を機能させ、前記リスト管理手段は、前記指示受付手段によって受け付けられた指示に応じて前記グループを生成し、前記リスト管理手段は、前記グループを生成する場合に、生成する前記グループ内の前記データの前記順番を連続させ、前記リスト管理手段は、前記グループ内の前記データの前記順番の連続性を維持することを特徴とする。
【０００７】
この構成により、本発明のリスト管理プログラムは、グループ内のデータの順番の連続性を維持するので、リストに新たにデータが追加されたり、リスト内のデータがソートされたりした場合に、グループ内のデータの順番の連続性が崩れることを防止することができる。そのため、本発明のリスト管理プログラムは、グループ内のデータに利用者が着目している場合に、利用者によるデータの確認を容易化することができる。したがって、本発明のリスト管理プログラムは、リストの視認性を向上することができる。
【０００８】
また、本発明のリスト管理プログラムにおいて、前記リスト管理手段は、前記グループを生成する場合に、生成する前記グループ内の前記データを特定の条件でソートして前記順番を設定しても良い。
【０００９】
この構成により、本発明のリスト管理プログラムは、グループを生成する場合に、生成するグループ内のデータを特定の条件でソートして順番を設定するので、グループ内のデータに利用者が着目しているときに、利用者によるデータの確認を容易化することができる。
【００１０】
また、本発明のリスト管理プログラムにおいて、前記指示受付手段は、前記リスト管理手段によって生成される前記グループ内の前記データの先頭の前記順番の指示を受け付け、前記リスト管理手段は、前記グループを生成する場合に、生成する前記グループ内の前記データの前記順番を、前記指示受付手段によって受け付けられた指示に応じた前記先頭の順番から設定しても良い。
【００１１】
この構成により、本発明のリスト管理プログラムは、グループを生成する場合に、生成するグループ内のデータの順番を、利用者によって指示された順番から設定するので、グループ内のデータに利用者が着目しているときに、利用者によるデータの確認を容易化することができる。
【００１２】
また、本発明のリスト管理プログラムにおいて、前記指示受付手段は、前記先頭の順番の指示を受け付ける場合に、前記グループ内の前記データの前記順番以外の前記順番のみを、前記先頭の順番として受け付けても良い。
【００１３】
この構成により、本発明のリスト管理プログラムは、新たなグループを生成する場合に、既存のグループ内のデータの順番以外の順番のみを新たなグループの先頭の順番として利用者に指示させることができるので、既存のグループ内のデータの順番が新たなグループの生成によって変更される可能性を低減することができる。したがって、本発明のリスト管理プログラムは、既存のグループ内のデータに利用者が着目しているときに、利用者によるデータの確認を容易化することができる。
【００１４】
本発明の電子機器は、複数のデータと、前記データ同士の順番と、前記データが所属するグループの識別情報とを含み、少なくとも一部が前記順番通りに表示デバイスに表示されるリストを管理するリスト管理手段と、指示を受け付ける指示受付手段とを備え、前記リスト管理手段は、前記指示受付手段によって受け付けられた指示に応じて前記グループを生成し、前記リスト管理手段は、前記グループを生成する場合に、生成する前記グループ内の前記データの前記順番を連続させ、前記リスト管理手段は、前記グループ内の前記データの前記順番の連続性を維持することを特徴とする。
【００１５】
この構成により、本発明の電子機器は、グループ内のデータの順番の連続性を維持するので、リストに新たにデータが追加されたり、リスト内のデータがソートされたりした場合に、グループ内のデータの順番の連続性が崩れることを防止することができる。そのため、本発明の電子機器は、グループ内のデータに利用者が着目している場合に、利用者によるデータの確認を容易化することができる。したがって、本発明の電子機器は、リストの視認性を向上することができる。
【発明の効果】
【００１６】
本発明のリスト管理プログラムおよび電子機器は、リストの視認性を向上することができる。
【図面の簡単な説明】
【００１７】
【図１】本発明の一実施の形態に係る画像形成システムのブロック図である。
【図２】図１に示すＭＦＰのブロック図である。
【図３】図２に示すアドレス帳の一例を示す図である。
【図４】図１に示すコンピューターのブロック図である。
【図５】グループを生成する場合の図２に示すＭＦＰの動作のフローチャートである。
【図６】図４に示す表示部に表示されるグループ生成用画面を示す図である。
【図７】ドロップダウンリストが操作されている場合の図６に示すグループ生成用画面を示す図である。
【図８】新たなグループが生成された場合の図３に示すアドレス帳の一例を示す図である。
【図９】新たなグループが生成された場合の図３に示すアドレス帳の一例であって、図８に示す例とは異なる例を示す図である。
【図１０】新たなグループが生成された場合の図３に示すアドレス帳の一例であって、図８および図９に示す例とは異なる例を示す図である。
【図１１】図２に示すアドレス帳の一例であって、図３に示す例とは異なる例を示す図である。
【図１２】新たなグループが生成された場合の図１１に示すアドレス帳の一例を示す図である。
【図１３】グループを解除する場合の図２に示すＭＦＰの動作のフローチャートである。
【図１４】図４に示す表示部に表示されるグループ解除用画面の一例を示す図である。
【図１５】グループが解除された場合の図８に示すアドレス帳の一例を示す図である。
【発明を実施するための形態】
【００１８】
以下、本発明の一実施の形態について、図面を用いて説明する。
【００１９】
まず、本実施の形態に係る画像形成システムの構成について説明する。
【００２０】
図１は、本実施の形態に係る画像形成システム１０のブロック図である。
【００２１】
図１に示すように、画像形成システム１０は、電子機器としてのＭＦＰ（Ｍｕｌｔｉｆｕｎｃｔｉｏｎ  Ｐｅｒｉｐｈｅｒａｌ）２０と、ＰＣ（Ｐｅｒｓｏｎａｌ  Ｃｏｍｐｕｔｅｒ）、スマートフォンなどのコンピューター３０とを備えている。ＭＦＰ２０と、コンピューター３０とは、ＬＡＮ（Ｌｏｃａｌ  Ａｒｅａ  Ｎｅｔｗｏｒｋ）、インターネットなどのネットワーク１１を介して通信可能である。
【００２２】
図２は、ＭＦＰ２０のブロック図である。
【００２３】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種の情報を記憶する半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２４】
記憶部２７は、例えばＨＴＭＬ（ＨｙｐｅｒＴｅｘｔ  Ｍａｒｋｕｐ  Ｌａｎｇｕａｇｅ）などのマークアップ言語によって記述されるウェブページを提供するプログラムであるウェブサーバー２７ａと、リストとしての後述のアドレス帳２７ｃを管理するリスト管理プログラム２７ｂとを記憶している。ウェブサーバー２７ａおよびリスト管理プログラム２７ｂは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの外部記憶媒体からＭＦＰ２０に追加でインストールされても良いし、ネットワーク１１上からＭＦＰ２０に追加でインストールされても良い。
【００２５】
記憶部２７は、リストとしてのアドレス帳２７ｃを記憶している。
【００２６】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００２７】
制御部２８は、記憶部２７に記憶されているリスト管理プログラム２７ｂを実行することによって、アドレス帳２７ｃを管理するリスト管理手段２８ａ、および、指示を受け付ける指示受付手段２８ｂとして機能する。
【００２８】
図３は、アドレス帳２７ｃの一例を示す図である。
【００２９】
図３に示すように、アドレス帳２７ｃには、電子メールアドレス、フォルダーのパスなどのアドレスと、アドレスを識別するためのデータとしてのアドレス名と、アドレス名が所属するグループの識別情報とを含む複数の種類の情報が互いに関連付けられて含まれている。また、アドレス帳２７ｃには、アドレス名同士の順番としてのアドレスナンバーが含まれている。
【００３０】
例えば、図３に示すアドレス帳２７ｃにおけるアドレスナンバー「０００１」に対応する情報は、アドレス名が「あいう」であり、何れのグループにも所属しておらず、アドレスが「／／○○／○○／○○」というフォルダーのパスである。また、図３に示すアドレス帳２７ｃにおけるアドレスナンバー「０００２」に対応する情報は、アドレス名が「かきく」であり、識別情報、すなわち、ＩＤが「Ｇ００１」であるグループに所属しており、アドレスが「○○○＠○○○．○○」という電子メールアドレスである。
【００３１】
なお、アドレス帳２７ｃには、例えば２５００個のアドレスが登録されることが可能である。アドレス帳２７ｃに２５００個のアドレスが登録されることが可能である場合、アドレスナンバーは、「０００１」から「２５００」までの２５００通りになる。
【００３２】
図４は、コンピューター３０のブロック図である。
【００３３】
図４に示すように、コンピューター３０は、種々の操作が入力されるボタンなどの入力デバイスである操作部３１と、種々の情報を表示するＬＣＤなどの表示デバイスである表示部３２と、プログラムおよび各種のデータを記憶しているＨＤＤなどの不揮発性の記憶デバイスである記憶部３３と、コンピューター３０全体を制御する制御部３４とを備えている。
【００３４】
記憶部３３は、ウェブページを表示部３２に表示させるプログラムであるウェブブラウザー３３ａを記憶している。ウェブブラウザー３３ａは、コンピューター３０の製造段階でコンピューター３０にインストールされていても良いし、ＳＤカード、ＵＳＢメモリーなどの外部記憶媒体からコンピューター３０に追加でインストールされても良いし、ネットワーク１１上からコンピューター３０に追加でインストールされても良い。
【００３５】
制御部３４は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３３に記憶されているプログラムを実行する。
【００３６】
次に、画像形成システム１０の動作について説明する。
【００３７】
ＭＦＰ２０のアドレス帳２７ｃに関する各種の情報は、ＭＦＰ２０のウェブサーバー２７ａによってウェブページの少なくとも一部として提供され、ウェブサーバー２７ａによって提供されるウェブページがコンピューター３０のウェブブラウザー３３ａによってコンピューター３０の表示部３２に表示されることによって、ＭＦＰ２０からコンピューター３０の表示部３２に表示されることが可能である。同様に、ＭＦＰ２０のアドレス帳２７ｃに関する各種の操作は、ＭＦＰ２０のウェブサーバー２７ａが提供するウェブページに対して、コンピューター３０のウェブブラウザー３３ａを介してコンピューター３０の操作部３１から入力されることによって、コンピューター３０の操作部３１からＭＦＰ２０に入力されることが可能である。
【００３８】
なお、アドレス帳２７ｃは、少なくとも一部がコンピューター３０の表示部３２に表示される。ここで、アドレス帳２７ｃは、アドレスナンバー通り、すなわち、アドレスナンバーで示される順番通りにコンピューター３０の表示部３２に表示される。
【００３９】
まず、グループを生成する場合のＭＦＰ２０の動作について説明する。
【００４０】
図５は、グループを生成する場合のＭＦＰ２０の動作のフローチャートである。
【００４１】
利用者は、コンピューター３０の表示部３２にアドレス帳２７ｃの少なくとも一部が表示されている場合に、アドレス帳２７ｃにおけるグループの生成をコンピューター３０の操作部３１を介してＭＦＰ２０に指示することができる。ＭＦＰ２０の制御部２８は、利用者からの指示を受けて図５に示す動作を実行する。
【００４２】
図５に示すように、ＭＦＰ２０の指示受付手段２８ｂは、グループを生成するためのグループ生成用画面４０（図６参照。）のウェブページをウェブサーバー２７ａに提供させる（Ｓ１０１）。したがって、コンピューター３０の表示部３２には、グループ生成用画面４０が表示される。利用者は、コンピューター３０の操作部３１を介してグループ生成用画面４０を操作することが可能である。
【００４３】
図６は、グループ生成用画面４０を示す図である。
【００４４】
図６に示すグループ生成用画面４０は、新たに生成されるグループ内のアドレス名の先頭のアドレスナンバーとしての開始番号の指示を受け付けるためのドロップダウンリスト４１と、新たに生成されるグループ内のアドレス名に共通する先頭の文字列としてのキーワードの指示を受け付けるためのテキストボックス４２と、グループの生成の実行のためのＯＫボタン４３と、図５に示す動作の終了のためのキャンセルボタン４４とを含んでいる。
【００４５】
ここで、ドロップダウンリスト４１は、既存のグループ内のアドレス名のアドレスナンバー以外のアドレスナンバーのみを開始番号として受け付け可能になっている。例えば、アドレス帳２７ｃが図３に示すものである場合、図７に示すように、ドロップダウンリスト４１は、既存のグループ「Ｇ００１」内のアドレス名のアドレスナンバー「０００２」および「０００３」以外のアドレスナンバーのみを開始番号として受け付け可能になっている。
【００４６】
図５に示すように、指示受付手段２８ｂは、Ｓ１０１の処理の後、ＯＫボタン４３が押されたと判断すると（Ｓ１０２でＹＥＳ）、ＯＫボタン４３が押された時点でドロップダウンリスト４１、テキストボックス４２にそれぞれ入力されていた開始番号、キーワードを受け付ける（Ｓ１０３）。
【００４７】
次いで、ＭＦＰ２０のリスト管理手段２８ａは、Ｓ１０３において受け付けられた開始番号およびキーワードに基づいて新たなグループを生成して（Ｓ１０４）、図５に示す動作を終了する。
【００４８】
例えば、アドレス帳２７ｃが図３に示すものであって、Ｓ１０３において受け付けられた開始番号およびキーワードがそれぞれ「０００４」および「あ」である場合、リスト管理手段２８ａは、Ｓ１０４において図８に示すようにアドレス帳２７ｃを変更する。
【００４９】
図８に示すアドレス帳２７ｃは、Ｓ１０３において受け付けられたキーワード「あ」から始まるアドレス名「あいう」、「あお」、「あえあ」と、これらのアドレス名に関連付けられた各種の情報とを抽出し、Ｓ１０３において受け付けられた開始番号「０００４」のアドレスナンバーからアドレスナンバーを連続させて、ＩＤが「Ｇ００２」であるグループとして挿入する。
【００５０】
なお、リスト管理手段２８ａは、グループ「Ｇ００２」を生成する場合に、グループ「Ｇ００２」内のアドレス名を五十音順でソートしてアドレスナンバーを設定している。したがって、キーワード「あ」から始まるアドレス名「あいう」、「あお」、「あえあ」は、キーワード「あ」の次の文字、すなわち、２文字目から五十音順でソートされて、「あいう」、「あえあ」、「あお」の順にアドレスナンバーが設定される。
【００５１】
図８に示すアドレス帳２７ｃにおいて、アドレスナンバー「０００１」の行は、アドレスナンバーが「０００１」であったアドレス名「あいう」と、このアドレス名に関連付けられた各種の情報とがアドレスナンバー「０００４」に移動させられた結果、未使用の行になっている。
【００５２】
また、図８に示すアドレス帳２７ｃにおいて、アドレス名「おおお」、「ううう」、「えええ」と、これらのアドレス名に関連付けられた各種の情報とは、グループ「Ｇ００２」がアドレスナンバー「０００４」〜「０００６」に割り込んだ結果、互いの順序を維持したまま、アドレスナンバー「０００７」以降にシフトさせられている。
【００５３】
なお、アドレス名と、アドレス名に関連付けられた各種の情報とのアドレスナンバーが後ろにシフトさせられた結果、仮に末尾のアドレスナンバー「２５００」に達した場合、それより順序が後ろのアドレス名と、アドレス名に関連付けられた各種の情報とのアドレスナンバーについては、後ろへのシフトが先頭のアドレスナンバー「０００１」から開始させられる。
【００５４】
また、グループが割り込むアドレスナンバーの範囲に未使用の行が含まれる場合、未使用の行はシフトさせられず、未使用の行のアドレスナンバーに対応するグループ内のアドレスナンバーのアドレス名とアドレスがグループの識別情報とともに挿入される。
【００５５】
アドレス帳２７ｃが図３に示すものであって、Ｓ１０３において受け付けられた開始番号およびキーワードがそれぞれ「０００５」および「あ」である場合、リスト管理手段２８ａは、Ｓ１０４において図９に示すようにアドレス帳２７ｃを変更する。
【００５６】
図９に示すアドレス帳２７ｃは、図８に示すアドレス帳２７ｃと比較して、グループ「Ｇ００２」がアドレスナンバー「０００５」〜「０００７」に割り込むことに対して、アドレスナンバーが「０００４」であったアドレス名「おおお」と、このアドレス名に関連付けられた各種の情報とが影響を受けていない。
【００５７】
アドレス帳２７ｃが図３に示すものであって、Ｓ１０３において受け付けられた開始番号およびキーワードがそれぞれ「０００１」および「あ」である場合、リスト管理手段２８ａは、Ｓ１０４において図１０に示すようにアドレス帳２７ｃを変更する。
【００５８】
図１０に示すアドレス帳２７ｃは、図８に示すアドレス帳２７ｃと比較して、グループ「Ｇ００２」がアドレスナンバー「０００１」〜「０００３」に割り込んだ結果、グループ「Ｇ００１」のアドレス名「かきく」、「かけこ」、アドレス名「おおお」、「ううう」と、これらのアドレス名に関連付けられた各種の情報とは、互いの順序を維持したまま、アドレスナンバー「０００４」以降にシフトさせられている。ここで、リスト管理手段２８ａは、グループ「Ｇ００１」のアドレスナンバーをシフトさせる場合、グループ「Ｇ００１」内のアドレス名「かきく」、「かけこ」と、これらのアドレス名に関連付けられた各種の情報との互いの順序を維持する。
【００５９】
なお、アドレス帳２７ｃが図１１に示すようにグループ「Ｇ００１」がキーワード「ああ」から始まるアドレス名「ああく」、「ああこ」である場合、Ｓ１０３において受け付けられた開始番号およびキーワードがそれぞれ「０００１」および「あ」であるとき、リスト管理手段２８ａは、Ｓ１０４において図１２に示すようにアドレス帳２７ｃを変更する。具体的には、リスト管理手段２８ａは、既存のグループ「Ｇ００１」内のアドレス名を除く「あ」から始まるアドレス名「あいう」、「あえあ」、「あお」と、これらのアドレス名に関連付けられた各種の情報とを抽出し、開始番号「０００１」のアドレスナンバーからアドレスナンバーを連続させて、ＩＤが「Ｇ００２」であるグループとして挿入する。
【００６０】
図１１および図１２に示すように、リスト管理手段２８ａは、新たなグループ「Ｇ００２」を生成する場合であっても、既存のグループ「Ｇ００１」内のアドレス名のアドレスナンバーの連続性を維持する。
【００６１】
なお、リスト管理手段２８ａは、新たなグループを生成する場合でなくても、既存のグループ内のアドレス名のアドレスナンバーの連続性を常に維持する。例えば、リスト管理手段２８ａは、アドレス帳２７ｃに新たにアドレス名が追加されたり、アドレス帳２７ｃ内のアドレス名がソートされたりした場合であっても、既存のグループ内のアドレス名のアドレスナンバーの連続性を維持する。
【００６２】
次に、グループを解除する場合のＭＦＰ２０の動作について説明する。
【００６３】
図１３は、グループを解除する場合のＭＦＰ２０の動作のフローチャートである。
【００６４】
利用者は、コンピューター３０の表示部３２にアドレス帳２７ｃの少なくとも一部が表示されている場合に、アドレス帳２７ｃにおけるグループの解除をコンピューター３０の操作部３１を介してＭＦＰ２０に指示することができる。ＭＦＰ２０の制御部２８は、利用者からの指示を受けて図１３に示す動作を実行する。
【００６５】
図１３に示すように、ＭＦＰ２０の指示受付手段２８ｂは、グループを解除するためのグループ解除用画面５０（図１４参照。）のウェブページをウェブサーバー２７ａに提供させる（Ｓ１３１）。したがって、コンピューター３０の表示部３２には、グループ解除用画面５０が表示される。利用者は、コンピューター３０の操作部３１を介してグループ解除用画面５０を操作することが可能である。
【００６６】
図１４は、グループ解除用画面５０の一例を示す図である。
【００６７】
図１４に示すグループ解除用画面５０は、グループ「Ｇ００１」を解除するための解除ボタン５１と、グループ「Ｇ００２」を解除するための解除ボタン５２と、図１３に示す動作の終了のためのキャンセルボタン５３とを含んでいる。
【００６８】
図１３に示すように、指示受付手段２８ｂは、Ｓ１３１の処理の後、解除ボタンが押されたと判断すると（Ｓ１３２でＹＥＳ）、押された解除ボタンに対応するグループを受け付ける（Ｓ１３３）。
【００６９】
次いで、リスト管理手段２８ａは、Ｓ１３３において受け付けられたグループを解除して（Ｓ１３４）、Ｓ１３１の処理を実行する。
【００７０】
例えば、アドレス帳２７ｃが図８に示すものである場合に解除ボタン５２が押されると、リスト管理手段２８ａは、Ｓ１３４において図１５に示すようにアドレス帳２７ｃを変更する。
【００７１】
図１５に示すアドレス帳２７ｃは、図８に示すアドレス帳２７ｃとは異なり、アドレスナンバー「０００４」〜「０００６」のアドレス名「あいう」、「あえあ」、「あお」が同一のグループに所属していないので、アドレス帳２７ｃにおいて新たなグループが生成されたり、アドレス帳２７ｃに新たにアドレス名が追加されたり、アドレス帳２７ｃ内のアドレス名がソートされたりした場合に、アドレス名「あいう」、「あえあ」、「あお」のアドレスナンバーの連続性が崩れる可能性がある。
【００７２】
以上に説明したように、ＭＦＰ２０は、グループ内のアドレス名のアドレスナンバーの連続性を維持するので、アドレス帳２７ｃに新たにアドレス名が追加されたり、アドレス帳２７ｃ内のアドレス名がソートされたりした場合に、グループ内のアドレス名のアドレスナンバーの連続性が崩れることを防止することができる。そのため、ＭＦＰ２０は、グループ内のアドレス名に利用者が着目している場合に、利用者によるアドレス名の確認を容易化することができる。したがって、ＭＦＰ２０は、アドレス帳２７ｃの視認性を向上することができる。
【００７３】
ＭＦＰ２０は、グループ内のアドレス名のアドレスナンバーの連続性を維持するので、グループ内のアドレス名を何れかの条件でソートする場合に、アドレス名をソートするグループの外部のアドレス名を考慮する必要がない。したがって、ＭＦＰ２０は、グループ内のアドレス名を何れかの条件でソートする場合に、ソートのための計算量を低減することができる。
【００７４】
ＭＦＰ２０は、グループを生成する（Ｓ１０４）場合に、生成するグループ内のアドレス名を図８に示すように五十音順でソートしてアドレスナンバーを設定するので、グループ内のアドレス名に利用者が着目しているときに、利用者によるアドレス名の確認を容易化することができる。
【００７５】
なお、ＭＦＰ２０は、グループを生成する場合に、生成するグループ内のアドレス名を五十音順以外の特定の条件でソートしてアドレスナンバーを設定しても良いし、ソートせずに互いの順序を維持したままアドレスナンバーを設定しても良い。
【００７６】
ＭＦＰ２０は、グループを生成する場合に、生成するグループ内のアドレス名のアドレスナンバーを、利用者によって指示されたアドレスナンバー、すなわち、開始番号から設定するので、グループ内のアドレス名に利用者が着目しているときに、利用者によるアドレス名の確認を容易化することができる。
【００７７】
ＭＦＰ２０は、新たなグループを生成する場合に、図７に示すように、既存のグループ内のアドレス名のアドレスナンバー以外のアドレスナンバーのみを新たなグループの先頭のアドレスナンバーとして利用者に指示させることができるので、図３および図８に示すように、既存のグループ内のアドレス名のアドレスナンバーが新たなグループの生成によって変更される可能性を低減することができる。したがって、ＭＦＰ２０は、既存のグループ内のアドレス名に利用者が着目しているときに、利用者によるアドレス名の確認を容易化することができる。
【００７８】
なお、ＭＦＰ２０は、本実施の形態において、先頭の文字列が共通するアドレス名を抽出してグループを生成するが、先頭の文字列が共通するという条件以外の条件でグループを生成しても良い。
【００７９】
ＭＦＰ２０は、本実施の形態において、アドレス帳２７ｃに対する指示がネットワーク１１を介してコンピューター３０の操作部３１から入力され、アドレス帳２７ｃの少なくとも一部をネットワーク１１を介してコンピューター３０の表示部３２に表示させる。しかしながら、ＭＦＰ２０は、アドレス帳２７ｃに対する指示がコンピューター３０の操作部３１からではなく、ＭＦＰ２０の操作部２１から入力されても良い。また、ＭＦＰ２０は、アドレス帳２７ｃの少なくとも一部をコンピューター３０の表示部３２にではなく、ＭＦＰ２０の表示部２２に表示させても良い。
【００８０】
ＭＦＰ２０は、本実施の形態において、リストとしてアドレス帳２７ｃを管理しているが、アドレス帳以外のリストを管理しても良い。例えば、ＭＦＰ２０は、複数のファイルを記憶可能な記憶部２７上の領域としてのボックスにおけるファイルの一覧情報をリストとして管理しても良い。
【００８１】
本発明の電子機器は、本実施の形態においてＭＦＰであるが、コピー専用機、プリンター専用機、ファクシミリ専用機、スキャナー専用機など、ＭＦＰ以外の画像形成装置であっても良いし、ＰＣなど、画像形成装置以外の電子機器であっても良い。
【符号の説明】
【００８２】
２０  ＭＦＰ（電子機器）
２２  表示部（表示デバイス）
２７ｂ  リスト管理プログラム
２７ｃ  アドレス帳（リスト）
２８ａ  リスト管理手段
２８ｂ  指示受付手段
３２  表示部（表示デバイス）
【図１】
2017007273.tif 000003
【図２】
2017007273.tif 000004
【図３】
2017007273.tif 000005
【図４】
2017007273.tif 000006
【図５】
2017007273.tif 000007
【図６】
2017007273.tif 000008
【図７】
2017007273.tif 000009
【図８】
2017007273.tif 000010
【図９】
2017007273.tif 000011
【図１０】
2017007273.tif 000012
【図１１】
2017007273.tif 000013
【図１２】
2017007273.tif 000014
【図１３】
2017007273.tif 000015
【図１４】
2017007273.tif 000016
【図１５】
2017007273.tif 000017